(57)【特許請求の範囲】
【請求項１】
機体内の穀槽部に張り込んだ穀粒を循環系の穀粒搬送手段の作動により循環させ、その穀物に対しバーナー装置により生成した熱風を送風機の作動により送給して乾燥させる穀物乾燥機において、それの循環系の穀粒搬送手段の駆動および送風機の駆動を交流モータにより行なわせるとともに、それらモータの駆動回路にインバータ（周波数変換器）を接続しておいて、そのインバータの切り換え作動による周波数の変更制御により、送風機の送風量を変更して外気の取入量を変更することにより小風量で高温の熱風を生成する状態と大風量で低温の熱風を生成する状態とに切り換え、かつ、循環系の穀粒搬送手段の作動速度の遅速の制御を行なわすようにして、籾・麦の乾燥に適応する高温小風量の熱風を供給して循環系の穀粒搬送手段の作動速度を速くする乾燥条件と、そばの乾燥に適応する低温大風量の熱風を供給して循環系の穀粒搬送手段の作動速度を速くする乾燥条件と、大豆の乾燥に適応する低温大風量の熱風を供給して循環系の穀粒搬送手段の作動速度を遅くする乾燥条件とを、切り換えて設定することを特徴とする穀物汎用乾燥機における乾燥制御方法。
【請求項２】
機体内の穀槽部に張り込んだ穀粒を循環系の穀粒搬送手段の作動により循環させ、その穀物に対しバーナー装置により生成した熱風を送風機の作動により送給して乾燥させる穀物乾燥機において、それの循環系の穀粒搬送手段の駆動および送風機の駆動を交流モータにより行なわせ、それらモータの駆動回路に周波数変換器を接続しておき、その周波数変換器の切り換え作動による周波数の変更制御で、送風機の送風量を変更して外気の取入量を変更することにより小風量で高温の熱風と大風量で低温の熱風とを生成するようにするとともに、循環系の穀粒搬送手段の作動速度の遅速の制御を行なわすようにして、籾・麦の乾燥に適応する高温小風量の熱風を供給して循環系の穀粒搬送手段の作動速度を速くする乾燥条件と、そばの乾燥に適応する低温大風量の熱風を供給して循環系の穀粒搬送手段の作動速度を速くする乾燥条件と、大豆の乾燥に適応する低温大風量の熱風を供給して循環系の穀粒搬送手段の作動速度を遅くする乾燥条件とを、切り換えて設定し得るようにしたことを特徴とする穀物汎用乾燥機。
【発明の詳細な説明】
【０００１】
【発明が属する技術分野】
本発明は、（籾・麦・そば・大豆等の）穀物を、機体内の穀槽部に張り込み、その穀物を昇降機・上コンベア・下コンベア等の穀物搬送手段により乾燥部を経て再び穀槽部に戻るよう循環させ、これに、乾燥部において、熱風生成装置により生成した熱風を、送風機の作動により浴びせて乾燥させる穀物乾燥機のうちで、機体内に籾・麦・そば・大豆等の種々の穀粒を張り込んで汎用の形態として用いる穀物汎用乾燥機において、乾燥作動時の各部の作動の制御手段についての改良に関する。
【０００２】
【従来の技術】
機体内の穀槽部に穀粒を張り込んで、それを循環流動させながら、バーナー装置等の熱風生成装置で生成した熱風を送風機により供給して乾燥させる穀物乾燥機は、通常、乾燥の対象とする穀粒が籾粒であり、籾乾燥機として作られているが、籾だけでなく、麦・そば・大豆等の各種の穀物に用いることも可能な構造になっている。例えば、麦粒を機体内の穀槽部に張り込んで機体の各部を作動させることで、そのまま麦粒の乾燥が行なえ、また、機体内の穀槽部に、そばの種子粒または大豆粒を張り込んで機体の各部を作動させることで、その、そば・大豆の乾燥が行なえる構造のものに作られている。
【０００３】
【発明が解決しようとする課題】
しかし、この穀物乾燥機は、籾にかえて、麦を機体内の穀槽部に張り込んで、機体の各部を制御作動させ、乾燥作業を行なうことで籾と同様に乾燥できるが、、大豆粒を穀物乾燥機の機体内の穀槽部に張り込んで、籾の乾燥作業の場合と同様に機体の各部を作動させて乾燥を行なったときには、大豆の表面に裂皮や皺が発生してきたり、表皮に損傷が生じてくる場合があり、乾し上げた大豆のの品質・等級を低下させるようになる問題がでてくる。
【０００４】
また、そばを穀槽部に投入して、そのそばの乾燥を行なうときには、そばの風味が損なわれるようになる問題がでてくる。
【０００５】
これらは、穀物乾燥機の各部の作動制御により設定されている乾燥条件が籾の乾燥に適応する条件となっていて、大豆、または、そばの乾燥には適応しないことと、乾燥作業中における穀物の循環流動を行なわすための穀物搬送手段が、大豆の表皮に損傷を与えるようになることによる。
【０００６】
このことから、穀物乾燥機を、籾・麦・そば・大豆等の各種の穀物の乾燥が行なえる汎用機とするには、それら各種の穀物の乾燥が、それらに適応する乾燥条件で行なえるようにしておく必要がある。
【０００７】
このためには、穀物乾燥機を、それに、上述の各態様の乾燥条件が設定できるように構成しておかなければならないが、そのように、穀物乾燥機を構成するには、各態様の乾燥条件を作り出すよう機能する機能部を装備させ、また、それら機能部を切り換えて作動させるように設計しなければならず、穀物乾燥機の構造を複雑にし製作を面倒にする別の問題がでてくる。
【０００８】
本発明は、これらの問題を解消せしめるためになされたものであって、籾・麦を対象としてそれの乾燥作業を行なわすように構成してある通常の穀物乾燥機を、それの基本的な構成に変更を加えずに、それに装備されている各作動部の制御により、そば・大豆等の各穀物の乾燥に適応する乾燥条件が作り出せ、かつ、各作動部の制御により各乾燥条件の切り換え変更が行なえるようにする新たな手段を提供することを目的とする。
【０００９】
【課題を解決するための手段】
しかして、上述の目的を達成するための本発明手段は、通常の穀物乾燥機の各作動部の機能および各種穀物のそれぞれに要求される乾燥条件について検討を加えて得られた知見に基づいてなされたものである。
【００１０】
即ち、籾・麦にあっては、比較的高温の熱風を供給しても品質の劣化をきたすことが殆どないことと、穀粒が丈夫な殻により覆われていて、循環系の送穀手段との接触により受ける損傷が少ないことから、高温の熱風を供給して、循環系を早い速度で作動させることで、効率的な乾燥が行なえる乾燥条件が得られ、また、そばにあっては、丈夫な殻で覆われていることで循環系の送穀手段との接触による受ける損傷が殆どないことと、供給する熱風の温度を低くして品温の上昇を抑えることで風味が損なわれるのを防止し得ることから、低温で大風量の熱風を送給して循環系を早い速度で作動させることによりそばを効率的に乾燥させ得る乾燥条件が得られ、また、大豆にあっては、低温の熱風の供給で低温で乾燥処理すれば表皮に皺や裂皮が生ずるのを防止でき、かつ、循環系の搬送手段との接触の機会を少なくすることで表皮に生ずる損傷も抑えられることから、低温で大風量の熱風を供給して循環系を遅い速度で作動させることで、大豆を皺や裂皮を生ぜしめず、かつ、損傷粒を少なくして効率的に乾燥させる乾燥条件が得られることが判ってきた。
【００１１】
そして、また、これらの各穀物に適応する乾燥条件を作り出すための、高温の熱風および低温の熱風ならびに循環系の作動速度の遅速は、熱風にあっては、バーナー装置で生成した熱気を穀物に送給させる送風機の駆動用のモータの回路に、インバータ（周波数変換器）を設けて、それの切換制御により送風機の送風能力を低下させて小風量にすれば高温の熱風が簡単に得られ、また、送風能力を増大させて大風量にすれば、熱気が大量の外気で稀釈されて低温大風量の熱風が簡単に得られることが判り、また、循環系の搬送手段の作動速度にあっても、それを駆動するモータの回路にインバータを設けておいて、それの切換制御により作動速度の変更制御が簡単に得られることが判ってきたことによる。
【００１２】
そして、このことから本発明手段においては、上述の目的を達成するための手段として、機体内の穀槽部に張り込んだ穀粒を循環系の穀粒搬送手段の作動により循環させ、その穀物に対しバーナー装置により生成した熱風を送風機の作動により送給して乾燥させる穀物乾燥機において、それの循環系の穀粒搬送手段の駆動および送風機の駆動を交流モータにより行なわせるとともに、それらモータの駆動回路にインバータ（周波数変換器）を接続しておいて、そのインバータの切り換え作動による周波数の変更制御により、送風機の送風量を変更して外気の取入量を変更することにより小風量で高温の熱風を生成する状態と大風量で低温の熱風を生成する状態とに切り換え、かつ、循環系の穀粒搬送手段の作動速度の遅速の制御を行なわすようにして、籾・麦の乾燥に適応する高温小風量の熱風を供給して循環系の穀粒搬送手段の作動速度を速くする乾燥条件と、そばの乾燥に適応する低温大風量の熱風を供給して循環系の穀粒搬送手段の作動速度を速くする乾燥条件と、大豆の乾燥に適応する低温大風量の熱風を供給して循環系の穀粒搬送手段の作動速度を遅くする乾燥条件とを、切り換えて設定することを特徴とする穀物汎用乾燥機における乾燥制御方法を提起し、また、機体内の穀槽部に張り込んだ穀粒を循環系の穀粒搬送手段の作動により循環させ、その穀物に対しバーナー装置により生成した熱風を送風機の作動により送給して乾燥させる穀物乾燥機において、それの循環系の穀粒搬送手段の駆動および送風機の駆動を交流モータにより行なわせ、それらモータの駆動回路に周波数変換器を接続しておき、その周波数変換器の切り換え作動による周波数の変更制御で、送風機の送風量を変更して外気の取入量を変更することにより小風量で高温の熱風と大風量で低温の熱風とを生成するようにするとともに、循環系の穀粒搬送手段の作動速度の遅速の制御を行なわすようにして、籾・麦の乾燥に適応する高温小風量の熱風を供給して循環系の穀粒搬送手段の作動速度を速くする乾燥条件と、そばの乾燥に適応する低温大風量の熱風を供給して循環系の穀粒搬送手段の作動速度を速くする乾燥条件と、大豆の乾燥に適応する低温大風量の熱風を供給して循環系の穀粒搬送手段の作動速度を遅くする乾燥条件とを、切り換えて設定し得るようにしたことを特徴とする穀物汎用乾燥機を提起するものである。
【００１３】
【発明の実施の形態】
本発明手段による汎用穀物乾燥機は、それの基本的な構成については、図１〜図３にあるように、箱状乃至塔状に組み立てた機体１の内部の上半側に、乾燥すべき穀粒を張り込む穀槽部ａを形成し、下半側には、穀槽部ａから穀粒を順次流下させる穀粒流下路１０と、そこを流下する穀粒に対し乾燥風として浴びせる熱風を導く導風路１１と、穀粒流下路１０を流下する穀粒に対し供給された熱風の排風を導く排風路１２とを、通気性の隔壁１３…により横方向に並列するように配設して構成する乾燥部ｂを装設し、機体１内の底部には、前記乾燥部ｂの穀粒流下路１０からの穀粒の繰出量を制御するバルブシャッタまたはドラムシャッタ２と、それにより繰り出される穀粒を機体１の前面側に搬出する下部スクリューコンベア３とを装架し、機体１の前面側には、昇降機４を立設してそれの揚穀塔４０の下部を前記下部スクリューコンベア３の搬送方向の終端部と接続連通し、その昇降機４の上部に形成せる放出筒部４１を、機体１の頂部に横設せる上部スクリューコンベア５の搬送方向の始端側に、取出樋４２と切換自在に接続させて、これらドラムシャッタ２・下部スクリューコンベア３・昇降機４・上部スクリューコンベア５等からなる穀粒の循環系の搬送手段の作動の制御によって、機体１内の穀槽部ａへの穀物の張り込みと、そのり張込んだ穀物の循環流動とが行なえるようにするが、これらは、それらの駆動が、図３にあるように、なるべくは、各別のモータＭ１・Ｍ２・Ｍ３・Ｍ４により行なわれるようにし、かつ、それらモータには交流モータを用いる。
【００１４】
そして、これらモータの駆動回路には、インバータ（周波数変換器）（図示省略）を接続しておき、それを、例えば、機体１の外面側の適宜位置に装設する制御盤６内に組み付けて、その制御盤６の制御パネル６０に設けるダイヤル７の操作により、周波数の変更制御が行なえるようにし、それにより、モータＭ１・Ｍ２・Ｍ３…の作動速度を変更制して、循環系の搬送手段の作動速度が所望に設定されるようにする。
【００１５】
また、機体１の前面側には、乾燥部ｂの熱風の導風路１１に供給する熱風を生成するためのバーナー装置８を装設して、それの熱風吐出路８０を前記導風路１１の前端側に連通し、機体１の背面側には、乾燥部ｂの排風路１２の後端側に吸引側が連通する送風機９を装架しておいて、この送風機９の作動により、バーナー装置８の熱風の吐出路８０に設けた外気の取入口８１から取り込まれる外気が、バーナー装置８で生成された熱気に合流して所定温度の熱風となって導風路１１に流入し、それが、穀粒流下路１０を横切り、排風路１２を経て送風機９により排風ダクト９０で所定の場所に導かれるようにして、この熱風が穀粒流下路１０を流下する穀粒に対し供給されていくようにするが、この送風機９の駆動も、交流モータＭ５で行なうようにし、かつ、それの駆動回路にはインバータ（周波数変換器）（図面省略）を接続して設け、そのインバータによる周波数の変更切り換えが、前述したように例えば機体１の外面に設ける制御盤６に組み付けておく操作ダイヤル７の操作により行なえるようにし、これによりこのモータＭ５の回転数を変更制御して送風機９の送風能力を変更して送風料が所望に設定し得るようにしておく。
【００１６】
そしてまた、この送風量を所望に変更設定するための操作は、例えば、操作ダイヤル７の回動操作で行なうようにした場合に、それの回動角度の選択により、籾・麦の乾燥作業を行なうとき、また、大豆の乾燥作業を行なうとき、また、そばの乾燥作業を行なうときの、それぞれの乾燥作業に適応する熱風温度を生成する送風量が設定されるように、それの回動角度量を、籾・麦・そば・大豆のそれぞれの乾燥作業に要求される熱風温度を生成する送風量とする周波数に対応するようにしておいて、この操作ダイヤル７の回動操作で自動的に各乾燥作業に適応する熱風温度が設定されるようにしておく。
【００１７】
そして、このとき、同時に、ドラムシャッタ２・下部スクリューコンベア３・昇降機４・上部スクリューコンベア５等の循環系の搬送手段の作動速度も、それの駆動用の交流モータＭ１・Ｍ２…の駆動電流の周波数の変更制御により各穀物の乾燥作業に適応する速度に設定されるようにしておく。
【００１８】
また、この循環系の搬送手段の作動速度および送風機９の送風量を変更させることで行なう熱風温度の変更制御は、別の手段として例えば制御盤６にメモリーカードｃの差込口６１を形成しておいて、ここに差し込むメモリーカードｃ…を、籾・麦・そば・大豆等の乾燥しようとする各穀物に対応させて用意しておき、これらメモリーカードｃ…にそれの差込口６１への差し込みにより循環系の搬送手段の作動速度および送風機９の回転速度をそれぞれの穀物の乾燥に適応する乾燥条件とするように制御する信号を、メモリーに記憶させておくようにしてもよい。
【００１９】
【発明の効果】
以上説明したように本発明手段は、機体内の穀槽部に張り込んだ穀粒を循環系の穀粒搬送手段の作動により循環させ、その穀物に対しバーナー装置により生成した熱風を送風機の作動により送給して乾燥させる穀物乾燥機において、それの循環系の穀粒搬送手段の駆動および送風機の駆動を交流モータにより行なわせ、それらモータの駆動回路にインバータ（周波数変換器）を接続しておき、そのインバータの切り換え作動による周波数の変更制御で、送風機の送風量を変更して外気の取入量の変更により小風量で高温の熱風と大風量で低温の熱風とを生成するようにし、また、循環系の穀粒搬送手段の作動速度の遅速の制御を行なわすようにすることで、籾・麦の乾燥に適応する高温小風量の熱風を供給して循環系の穀粒搬送手段の作動速度を速くする乾燥条件と、そばの乾燥に適応する低温大風量の熱風を供給して循環系の穀粒搬送手段の作動速度を速くする乾燥条件と、大豆の乾燥に適応する低温大風量の熱風を供給して循環系の穀粒搬送手段の作動速度を遅くする乾燥条件とを、切り換えて設定し得るようにしているのだから、籾・麦・そば・大豆等の穀物をそれぞれの乾燥に適応する関す条件に簡単に切り換えて乾燥し得る汎用穀物乾燥機が得られるようになる。
【図面の簡単な説明】
【図１】本発明手段を実施せる穀物汎用乾燥機の全体の斜視図である。
【図２】同上の縦断正面図である。
【図３】同上の縦断側面図である。
【図４】同上の制御盤の正面図である。
【符号の説明】
ａ…穀槽部、ｂ…乾燥部、ｃ…メモリーカード、Ｍ１・Ｍ２・Ｍ３・Ｍ４・Ｍ５…モータ、１…機体、１０…穀粒流下路、１１…導風路、１２…排風路、１３…隔壁、２…バルブシャッタ（ドラムシャッタ）、３…下部スクリューコンベア、４…昇降機、４０…揚穀塔、４１…放出筒部、４２…取出樋、５…上部スクリューコンベア、６…制御盤、６０…制御パネル、６１…差込口、７…操作ダイヤル、８…バーナー装置、８０…熱風吐出口、８１…取入口、９…送風機、９０…排風ダクト。
【図１】
0003694234.tif 000002
【図２】
0003694234.tif 000003
【図３】
0003694234.tif 000004
【図４】
0003694234.tif 000005